(57)【要約】  診査、深いトラフ、オリフィスの拡張、根管のナビゲーションを含む、歯内治療処置のための円錐形のデンタルバーが提供される。本発明のバーは、その長さに沿った切断部材を有する、幅が狭くて円錐形のバーヘッドを有する。本発明のバーのヘッドは、歯内治療処置の顕微鏡的な観察を可能にする、バーヘッドに対して先細りするシャンクに取り付けられる。バーは、炭化タングステン、ダイヤモンド、セラミック又は他の材料で製造される。特定の処置に対して適当な、様々な形状及び大きさの本発明に係るバーは、キットに一緒に包装されることができる。また、歯内治療処置においてバーを使用する方法が開示される。【選択図】  図１
2014512893.tif 000002
【特許請求の範囲】
【請求項１】
歯内アクセス、トラフ、オリフィスの拡張、根管のナビゲーションのためのバーであって、
電動デンタルハンドピースに接続可能な駆動シャフトと、
駆動シャフトと同じ軸で駆動シャフトに取り付けられたシャンクと、
ベースでシャンクに取り付けられたヘッドと、を備え、
ヘッドは、狭い頂部からベースまで円錐形状を形成する複数のブレードを備え、
シャンクは、ヘッドの顕微鏡観察を可能にするように駆動シャフトからドリルヘッドまで幅が先細りになる、バー。
【請求項２】
請求項１記載のバーにおいて、
バーヘッド及びシャンクは、ベースで接合し、バーヘッドのベースとシャンクとの間の移行は、滑らかに機械加工される、バー。
【請求項３】
請求項２記載のバーにおいて、
バーヘッドのベースの直径は、バーヘッドのベースとシャンクとの間の移行部におけるシャンクの直径よりも大きい約０．００３インチ（０．００７６２ｃｍ）以下である、バー。
【請求項４】
請求項１記載のバーにおいて、
バーヘッドの長さは、０．０３９インチ（０．０９９０６ｃｍ）乃至０．１７７インチ（０．４４９５８ｃｍ）の範囲である、バー。
【請求項５】
請求項１記載のバーにおいて、
ヘッドの直径は、０．０１６インチ（０．０４０６４ｃｍ）乃至０．０５９インチ（０．１４９８６ｃｍ）の範囲である、バー。
【請求項６】
請求項１記載のバーにおいて、
バーヘッドは、カーバイド材料からなる、バー。
【請求項７】
請求項１記載のバーにおいて、
バーヘッドは、炭化タングステンからなる、バー。
【請求項８】
請求項１記載のバーにおいて、
バーヘッドは、セラミック材料からなる、バー。
【請求項９】
請求項１記載のバーにおいて、
バーヘッドは、ダイヤモンドからなる、バー。
【請求項１０】
請求項１記載のバーにおいて、
バーヘッドは、ステンレス鋼、硬化工具鋼、焼結金属、焼結ダイヤモンド、焼結セラミック、メッキダイヤモンド、ダイヤモンド、ジルコニア、ポリマー、セラミック、セラミック酸化物、ケイ酸リチウム、チタン、ニッケルチタン、又はアルミニウムから選択された材料からなる、バー。
【請求項１１】
請求項１記載の一つ以上のバーを備えるキットであって、
バーは、特別な歯内治療処置のための様々な大きさのヘッド及び様々な大きさのシャンクを有するキットを備える、キット。
【請求項１２】
歯内療法の深いトラフのための方法であって、
デンタルハンドピースに請求項１記載のバーを取り付けるステップと、
光で見まわす動きでエナメル質又は象牙質をトラフするステップと、を備える、方法。
【請求項１３】
歯内治療診査のための方法であって、
請求項１記載のバーが取り付けられたデンタルハンドピースを使用して歯の象牙質を診査するステップと、
バーで歯内診査を視覚的に観察するための歯科顕微鏡やループを使用するステップと、を備える、方法。
【発明の詳細な説明】
【技術分野】
【０００１】
アクセスは、成功した歯内治療に不可欠な要素である。歯内治療アクセスキャビティを準備することは、根管システムの三次元閉塞に潜在的に至る一連の処置において重要なステップである。アクセスキャビティは、全て上に重なる象牙質を含む歯髄屋根が除去されるように切断される必要がある。アクセスキャビティの大きさは、オリフィス（複数のオリフィス）の位置によって決定される。オリフィス（複数のオリフィス）がこの窩洞外形内に適切にあるように軸方向の壁は横方向に延在される。内壁は、オリフィス及び根管システムの中に直線状のアクセスを提供するために開かれて平滑化される。さらに、アクセス準備は、後続の器具を取り付ける間、冠状干渉を排除するために拡張される。アクセスの目的は、全てのオリフィスが口ミラーを動かさないで可視化されることができるときに確認される。
【背景技術】
【０００２】
根管処置を実行するために歯内治療アクセスを得るための従来のアプローチは、従来の大きな円形状のバー（窩洞を掘る回転切削工具）を利用することによって達成される。この触覚に基づくアプローチは、根本的に欠陥がある。円形状のバーは、石灰化した管システムを扱うことが非常に困難であり、貴重な象牙質の積極的な除去を生じ、そして、歯のより重要な頸部を潜在的に損傷させる。
【発明の概要】
【発明が解決しようとする課題】
【０００３】
歯内アクセスを切断し、円形状のバーで石灰化した歯を掘り進めるとき、円形状のバーの先端は、通常、やや見当違いになり、歯の構造を厳しく削りすぎる。従来の円形状バーを用いて歯の中に深くアクセスが進むと、アクセス開口は、内部が広くなり、それは、歯を破砕しやくし、長期保持に対する歯の見通しを減少させる。
【０００４】
現在の歯内バーの設計は、いくつかの問題がある。外科の長い直角に曲がったバー及びマンスが発見したバーは、センタリングの問題、バーの流出及び掘り出しを生じる大きなヘッドサイズを有する。円形状バーのヘッドは、荒仕上げを残し、解剖学的マッピングを生じ、困難に通じる。
【０００５】
ミューラーのバーは、視認性のために細いシャフトを有するが、そのシャフトは、あまりにも柔軟性があり、管を見つける方に導かれることができない。柔軟性のために、圧力は、エンドカットするようにバーに力を適用されることができない。円形ヘッドは、大きくて保守的でなく、歯に粗い（出っ張り）表面を形成し、粗末で粗い仕上げを残す。
【０００６】
ゲイツグリッデンの器具は、これらの器具の細いシャンクが高リスクの解剖から離れた“操縦”をすることが困難であるために問題がある。ゲイツグリッデンの器具は、歯冠又は“高い曲線”をまっすぐにするので、溝削り又は分岐部にわたって短絡することができ、穿孔を弱め又は均一に取り除くことができる。さらに、ゲイツグリッデンの器具は、歯髄室にアクセスするために円形状バーの使用を最初に必要とし、これまでより小さなサイズのいくつかの器具が、歯髄室にアクセスするために必要とされる。
【０００７】
超音波チップは、小さなダイヤモンドコーティングされたチップを有する現存する保守的であり、非常に早く摩耗し非常に高価である。さらに、超音波は、滑らかな又は研磨された表面を残す。
【課題を解決するための手段】
【０００８】
本発明は、長さが１７ｍｍ乃至４５ｍｍの範囲にすることができる長細いシャンクを有する独特的に設計されたバーである。バーのヘッドは、直径が０．０１６インチ乃至０．０５９インチ（０．０４０６４ｃｍ乃至０．１４９８６ｃｍ）の範囲にすることができる微小径チップを有するヘッドの長さが０．０３９インチ乃至０．１７７インチ（０．０９９０６ｃｍ乃至０．４４９５８ｃｍ）の範囲にすることができる細長くて円錐形の先細りした形状である。切断ブレードは、バーヘッドの外面に配置され、そして、隠れた根管のより良い確認のため及びより容易な管のマッピングのために磨かれた象牙質表面を残すために垂直方向及び横方向に効果的に切断するように設計される。本発明のバーは、より安全で医原性が少ない歯髄室へのアクセス及び根管システムの確認を得るために焦点を当てた、非外科的歯内治療のために設計される。
【０００９】
本発明に係るバーは、電動歯科用ハンドピースに接続可能な駆動シャフトと、駆動シャフトと同じ軸線で駆動シャフトに取り付けられたシャンクと、ベースでシャンクに取り付けられたヘッドとを含む。ヘッドは、狭い頂部からベースまで円錐形状を形成する複数のブレードを備え、シャンクは、ヘッドの顕微鏡観察を可能にするように駆動シャフトからドリルヘッドまで幅が先細りになる。
【００１０】
本発明に係るバーでは、バーヘッド及びシャンクは、ベースで接合し、バーヘッドのベースとシャンクとの間の移行は、滑らかに機械加工されることができる。バーヘッドの直径は、バーヘッドのベースとシャンクとの間の移行部におけるシャンクの直径よりも大きい約０．００３インチ（０．００７６２ｃｍ）以下にすることができる。
【００１１】
バーは、炭化タングステン、ステンレス鋼、硬化工具鋼、焼結金属、焼結ダイヤモンド、焼結セラミック、メッキダイヤモンド、ダイヤモンド、ジルコニア、ポリマー、セラミック、セラミック酸化物、ケイ酸リチウム、チタン、ニッケルチタン、又はアルミニウムなどのカーバイド材料のヘッドを有する。
【００１２】
本発明のバーは、修復目的のため、主として根管治療のために、歯に深く入る長細いバーである。バーは、根管治療の間、健康な歯の構造の破壊を最小限にするセルフセンターリング特性を提供する。
【００１３】
本発明のバーの先細りした円錐形状ヘッドは、バーの流出及び円形のバーに関連された掘り出しを減少しながら、増加されたセルフセンターリングを可能にする。本発明のバーの円形端部の円錐形は、効果的に切断し、針の先端バーよりもはるかに安全に切断する。
【００１４】
本発明のバーは、生物模倣型形状を可能にするために直接的な顕微鏡視野の使用を許容し、周囲の帯状束の主要な象牙質の量及び残存する象牙質の質を保持することができる。象牙質炭化インターフェイスによって残した研磨面は、超音波器具によって残存したガタガタした表面あるいはダイヤモンドバーのガリガリした象牙質表面よりもより良い視覚的な情報を有する。
【００１５】
本発明のバーのチップの大きさは、円形バーよりも小さく、本発明のバーのチップは、対応する円形バーの四分の一の大きさである。本発明の円錐形状バーによって形成された空間は、それ自体、石灰化された根管システムのより簡単な発見に役立つ。
【００１６】
バーのシャンクは、従来技術のバーよりもよりよい制御でバーを操作するのに十分な硬さであり、チップが他の歯内バーよりもかなり小さいにもかかわらずシャンクを曲げたり壊したりする可能性が小さい。
【００１７】
本発明のバーは、キットで一緒に包装されることができ、多くの様々なバーは、様々な歯内課題のために設計された様々なヘッド長さ及び直径を有する。
【００１８】
理想的には、歯内アクセスキャビティは、“完成された”準備の軸方向の壁が先細りになると共にワックスパターンを描くのを提供する修復歯科学の原則を並行する必要がある。クリーニング及び成型の可能性は、器具が咬合開口を都合よく通過して滑らかな軸方向の壁を楽に滑落し、オリフィスの中に容易に挿入されるときに劇的に改善される。広々としたアクセスキャビティは、管の準備のための開口である。
【００１９】
本発明に係るバーは、請求項１に係る一つ以上のバーを備えるキットでパッケージングされることができ、バーは、特殊な歯内治療処置のための様々な大きさのヘッド及び様々な大きさのシャンクを有するキットを備える。
【００２０】
また、本発明は、本発明に係るバーをデンタルハンドピースに取り付けること及び光で見まわす動きでエナメル質又は象牙質をトラフすることを備える、歯内の深い溝のための方法を含む。
【００２１】
また、本発明は、本発明に係るバーが取り付けられたデンタルハンドピースを使用して、及び、バーで歯内診査を視覚的に観察するための歯科顕微鏡やループを使用して、歯の象牙質を診査することを備える、歯内診査のための方法を含む。
【００２２】
本発明は、以下の図面及び説明を参照してより良く理解されることができる。図面中の構成要素は、必ずしも縮尺通りではなく、強調はむしろ本発明の原理を示すことに置かれている。
【図面の簡単な説明】
【００２３】
【図１】図１は、本発明にかかるバーの第１実施形態の長手方向の概略図である。
【図１Ａ】図１Ａは、本発明にかかるバーの第１実施形態のヘッド部分の側面図である。
【図１Ｂ】図１Ｂは、本発明にかかるバーの第１実施形態のヘッド部分の正面図である。
【図２】図２は、本発明にかかるバーの第２実施形態の長手方向の概略図である。
【図２Ａ】図２Ａは、本発明にかかるバーの第２実施形態のヘッド部分の側面図である。
【図２Ｂ】図２Ｂは、本発明にかかるバーの第２実施形態のヘッド部分の正面図である。
【図３】図３は、本発明にかかるバーの第３実施形態の長手方向の概略図である。
【図３Ａ】図３Ａは、本発明にかかるバーの第３実施形態のヘッド部分の側面図である。
【図３Ｂ】図３Ｂは、本発明にかかるバーの第３実施形態のヘッド部分の正面図である。
【図４】図４は、本発明にかかるバーの第４実施形態の長手方向の概略図である。
【図４Ａ】図４Ａは、本発明にかかるバーの第４実施形態のヘッド部分の側面図である。
【図４Ｂ】図４Ｂは、本発明にかかるバーの第４実施形態のヘッド部分の正面図である。
【図５】図５は、本発明にかかるバーの第５実施形態の長手方向の概略図である。
【図５Ａ】図５Ａは、本発明にかかるバーの第５実施形態のヘッド部分の側面図である。
【図５Ｂ】図５Ｂは、本発明にかかるバーの第５実施形態のヘッド部分の正面図である。
【図６】図６は、本発明にかかるバーの第６実施形態の長手方向の概略図である。
【図６Ａ】図６Ａは、本発明にかかるバーの第６実施形態のヘッド部分の側面図である。
【図６Ｂ】図６Ｂは、本発明にかかるバーの第６実施形態のヘッド部分の正面図である。
【図７】図７は、本発明にかかるバーの第７実施形態の長手方向の概略図である。
【図７Ａ】図７Ａは、本発明にかかるバーの第７実施形態のヘッド部分の側面図である。
【図７Ｂ】図７Ｂは、本発明にかかるバーの第７実施形態のヘッド部分の正面図である。
【図８】図８は、本発明にかかるバーの第８実施形態の長手方向の概略図である。
【図８Ａ】図８Ａは、本発明にかかるバーの第７実施形態のヘッド部分の側面図である。
【図８Ｂ】図８Ｂは、本発明にかかるバーの第７実施形態のヘッド部分の正面図である。
【発明を実施するための形態】
【００２４】
本発明のバーは、デンタルハンドピースに接続されたデンタルユニットを有するデンタルシステムで使用するために設計される。デンタルユニットは、電力をハンドピースに提供する。本発明のデンタルバーは、デンタルユニットからの圧縮空気の動作電力の受信によって予め選択された回転速度でデンタルバーを回転するハンドピースと係合し、ハンドピースによって閉じ込められて保持される。以下の実施形態で示された各デンタルバーは、バーヘッドを開定位するためにデンタルユニットからの動作電力を提供すると共に歯にデンタル処置を実行するハンドピースと係合された駆動シャフトを有する。デンタルハンドピースは、毎分５０００−８００００回転まで回転する低速ハンドピース又は毎分３０００００−４０００００回転又はそれ以上で回転する高速ハンドピースにすることができる。
【００２５】
図１、１Ａ、１Ｂに示されるように、本発明に係るデンタルバー３００の第１実施形態は、ベース３８５及び対向頂部３８０を有する本体３７０を備えるバーヘッド３６０を含む。駆動シャフト３５５は、ハンドピースに取り付けるために本体３７０の長手軸線３５０と同軸的に整合される。この図の駆動シャフト３５５は、高速デンタルピースで使用するための外科長さの摩擦グリップタイプである。
【００２６】
駆動シャフト３５５は、バー３００の駆動シャフト３５５からネック３２６及びマウント３２７まで直径が先細りになる先細りシャンク３２５によってヘッドに接続される。駆動シャフト及びシャンクは、典型的には金属、典型的には鋼で構成され、炭化タングステンで作られるバーヘッド３６０は、マウント３２７でシャンクに取り付けられる。シャンク３２５は、駆動シャフト３５５で直径が０．６３０インチ（１．６００２ｃｍ）からネック３２６で約０．０２５インチ（０．０６３５ｃｍ）まで約０．３８４インチ（０．９７５３６ｃｍ）の長さにわたって先細りする。ネック３２６及びマウント３２７でのシャンク３２５の直径と、バーヘッドベース３８５の直径との差は、最小化される。シャンクは、バーヘッドとして円錐形の角度で先細りになるように及びシャンク３２５とバーヘッド３８５との間の移行を最小限にするように設計され、バーヘッド３６０に対する顕微鏡の視覚ラインは中断されない。しかしながら、シャンク３２５は、バーがセルフセンターリングするのを許容するように曲がらないように設計される。
【００２７】
さらに、バーヘッドベース３８５、ネック３２６及びマウント３２７は、バーヘッド３６０とシャンク３２５との間に滑らかで段階的な移行を形成するように機械加工される。このように、歯からバーを引き抜く際に、象牙質又はエナメル質に対するバーヘッドベースによって生じた損傷の可能性が最小限に抑えられる。
【００２８】
図１に示されるように、デンタルバー３００のヘッド３６０の直径は、バーの頂部３８０近傍の位置で０．０１１インチ（０．０２７９４ｃｍ）である。バーヘッド３６０は、円錐形状を有し、この実施形態では０．０５５インチ（０．１３９７ｃｍ）の長さである長手軸線３５０に沿って測定された長さを有する。ベース３８５は、約０．０２８インチ（０．０７１１２ｃｍ）の直径を有する。バーヘッド３６０のベース３８５での直径の幅のバリエーションがあることが理解される。
【００２９】
図１Ａに示されるように、バーヘッド３６０は、バーヘッド３６０の外面から外方に延びる切断部材３２０を有する外面３１０を含み、切断部材３２０の少なくとも一部分は、ベース３８５と頂部３８０との間に配置され、長手軸線に沿って測定されたヘッドの長さにわたって外面に沿って延在する。その細長い切断部材３２０を有するバーヘッド３６０は、炭化タングステン等の炭化材料で形成されることができる。円錐形状のバーヘッド３６０は、ベース３８５近傍でその最大直径を有し、バーヘッドの直径は、対向頂部３８０の方に延びる際に徐々に減少する。
【００３０】
切断部材３２０は、バーヘッド３６０から半径方向に延びる高さを有する細長いブレードである方が好ましい。ブレード１２０は、概ね、本体３７０の長手軸線３５０に平行であり、好ましくは二つの角度のねじれ角で頂部からベースまで曲がることができる。しかしながら、ブレードのねじれ角に対する許容範囲は、０度（０度）乃至１２度（１２度）である。好ましくは、６つの切断部材３２０は、ドリル歯１４０を形成するために残りの切断部材を超えて延びる二つの対向する切断部材３３５を有するバーヘッド３６０に配置される（図１Ｂ参照）。切断部材３２０は、予め選択された速度におけるデンタルバー３００の回転によって長手軸線３５０に沿って可変可能な切断強度を提供する。ダイヤモンド又は他の耐久性の切断材料が、バーヘッドの外面にある切断部材として選択的に利用されることができる。
【００３１】
図１における６つの切断部材３２０の各々は、各ブレードの前面であるレーキ面３４１を有する。各切断部材３２０のレーキ角は、デンタルバーの長手軸線から外方に延びるデンタルバー３００の断面軸または半径３４２に対する切断部材のレーキ面３４１の角度として画定される。好ましいレーキ角は、バーヘッド３６０の切断部材３２０の各々に対して−８度（−８度）である。バーヘッドのブレードに対するレーキ角は、０度（０度）乃至−１５度（−１５度）の範囲に選択的にすることができる。レーキ面３４０は、また、バーヘッド３６０の長さに沿って変更することができる。
【００３２】
本発明のデンタルバーの上記実施形態は、小さな切歯に対する初期（窩洞面の）アクセスでの使用を意図されており、石灰化された管及び臼歯の屋根“鋸”をトラフするために使用されることができる。
【００３３】
図２−２Ｂに示された、本発明の第２実施形態では、バー５００は、カッター５２０及びレーキ面５４１の概ね円錐形状及び構造に関して、図１−１Ｂに係るヘッドの全体的な構造と同様のヘッドを有するが、この場合のヘッドは、ベース５８５から頂部５８０までの約０．０９４インチ（０．２３８７６ｃｍ）の長さを有し、頂部５８０近傍の０．０１３インチ（０．０３３０２ｃｍ）からベースでの約０．０４５インチ（０．１１４３ｃｍ）の最大値までの直径の範囲を有する。シャンク５２５は、駆動シャフト５５５で直径が０．６３０インチ（１．６００２ｃｍ）からネック５２６で約０．０４２インチ（０．１０６６８ｃｍ）まで約０．３４２インチ（０．８６８６８ｃｍ）の長さにわたって先細りし、ネック５２６、ベース５８５及びマウント５２７は、シャンク５２５のネックとバーヘッド５６０との間に滑らかな移行を提供するように機械加工される。バーのこの実施形態は、非修復前部及び両尖歯の初期の歯内アクセスのために特に有用である。
【００３４】
図３−３Ｂに示された第３実施形態では、バー６００は、外科長さの摩擦グリップ駆動シャフト６２５を採用する。この実施形態では、バーヘッド６６０は、長く、約０．１３２インチ（０．３３５２８ｃｍ）の長さであり、頂部６８０近傍で約０．０１１インチ（０．０２７９４ｃｍ）からベース６８５で０．０２８インチ（０．０７１１２ｃｍ）まで広い直径である。シャンク６２５は、駆動シャフト６５５近傍で直径が０．６３０インチ（１．６００２ｃｍ）からネック６２６で約０．０２５インチ（０．０６３５ｃｍ）まで約０．３８９インチ（０．９８８０６ｃｍ）の長さにわたって先細りする。再度、ネック６２６、マウント６２７及びヘッドベース６８５間の移行は、引き抜くときの損傷を防止するように滑らかで漸進的に機械加工される。バーヘッド６６０は、その６つのカッター６２０の構造、拡張カッター６３５で形成された駆動歯及びレーキ面６４１に関して、他の実施形態と同様である。この実施形態に係る長くて狭いバー６００は、深くトラフするのに及び超卵形で石灰化された管を通過するために、特に適されている。
【００３５】
本発明に係る第４実施形態が図４−４Ｂに示される。この実施形態に係るバー７００は、約０．０９２０インチ（０．２３３６８ｃｍ）の直径を有する低速ハンドピースで使用するためのラッチ部材７５６を有する標準長さの直角タイプの駆動シャフト７５５を利用する。前述の第３実施形態と同様に、この第４実施形態のバー７００は、６つの切断部材７２０及びレーキ面７４１を有する円錐形ヘッド７６０を有する。バーヘッド７６０は、約０．１３２インチ（０．３３５２８ｃｍ）の長さを有し、頂部７８０近傍の０．０１１インチ（０．０２７９４ｃｍ）からベース７８５で０．０２８インチ（０．０７１１２ｃｍ）まで広がる。シャンク７２５は、駆動シャフトからヘッドまで段階的な進行で先細りに機械加工され、長手軸線７５０に沿った約０．１１８インチ（０．２９９７２ｃｍ）の長さにわたって、駆動シャフト７５５近傍の一部分７２８にわたって０．０９３０インチ（０．２３６２２ｃｍ）から約０．０３９インチ（０．０９９０６ｃｍ）まで先細りになる。シャンク７２５は、０．０３９インチ（０．０９９０６ｃｍ）の直径及び０．２３３インチ（０．５９１８２ｃｍ）の長さを有する第２の非先細り部分７２４を有する。シャンク７２５の第３部分７２９は、長手軸線７５０に沿って０．１３７インチ（０．３４７９８ｃｍ）の長さにわたってネック７２６で０．０３９インチ（０．０９９０６ｃｍ）から０．０２５インチ（０．０６３５ｃｍ）まで先細りになる。このように、シャンク７２５は、器具からバーヘッドまで視線を許容するように設計される。ネック７２６、マウント７２７及びバーヘッドベース７８５は、滑らかで段階的な移行を提供するように設計される。本発明のバーの第４実施形態は、特に、深いトラフ、深いオリフィス拡張のために及び石灰化された管を通過するために設計される。
【００３６】
図５、５Ａ及び５Ｂに示された第５実施形態では、バー８００は、第２の実施形態のバーヘッド５６０と同様に形状づけられ寸法づけられたヘッド８６０を有し（図５参照）、ヘッドの長さが約０．０９４インチ（０．２３８７６ｃｍ）であり、長手軸線８５０に沿って頂部８８０近傍の０．０１３インチ（０．０３３０２ｃｍ）からベース８８５での０．０４２インチ（０．１０６６８ｃｍ）まで広がる。バーヘッドは、６つの切断部材６２０、レーキ面６４１及び拡張切断部材６３５に関して、他の実施形態と同様な形状である。シャンク８２５は、段階的な進行で先細りし、第１部分８２８は、直径が駆動シャフトで０．０９２インチ（０．２３３６８ｃｍ）から０．０５３インチ（０．１３４６２ｃｍ）まで先細りする、長手軸線８５０に沿った０．０８７インチ（０．２２０９８ｃｍ）の長さを有する。第２部分８２４は、０．２３３インチ（０．５９１８２ｃｍ）の長さにわたって約０．０５３インチ（０．１３４６２ｃｍ）の直径を有する。０．２１１インチ（０．５３５９４ｃｍ）の長さを有する第３部分８２９は、ネック８２７において０．０５３インチ（０．１３４６２ｃｍ）から約０．０３６インチ（０．０９１４４ｃｍ）まで先細りする。再度、ベース８８５、マウント８２７及びネック８２６は、滑らかで段階的な移行のために機械加工される。この第５実施形態は、特に、歯髄室を屋根を外すために及び深いオリフィス拡張及び石灰化された管のために適する。
【００３７】
図６、６Ａ及び６Ｂに示された本発明の第６実施形態は、低速デンタルハンドピースのために意図された特別長い直角バー９００である。バー９００は、第１実施形態（図１−１Ｂ）と同じ形状及び大きさのヘッドを有し、長さが約０．０５５インチ（０．１３９７ｃｍ）の円錐形状ヘッド９６０を有し、頂部９８０近傍で約０．０１１インチ（０．０２７９４ｃｍ）でベース９８５で０．０２８インチ（０．０７１１２ｃｍ）まで広がる直径を有する。バーヘッド９６０は、６つの切断部材９２０及び６つのレーク面９４１を有し、切断部材９３５の二つは、残りの切断部材の前方に延びる。バー９００は、ラッチ部材９５６を有する、直径が約０．０９２０（０．２３３６８ｃｍ）の駆動シャフト９５５を有する。シャンク９２５は、段階的な進行で先細りになり、長手軸線９５０に沿って０．１１８インチ（０．２９９７２ｃｍ）の長さにわたって、駆動シャフト９５５において０．０９２０（０．２３３６８ｃｍ）から０．０３９インチ（０．０９９０６ｃｍ）まで先細りになる部分９２８を有する。第２部分９２４は、０．０３９インチ（０．０９９０６ｃｍ）の直径を有し、０．４８３インチ（１．２２６８２ｃｍ）の長さを有する。第３部分９２４は、ネック９２６において０．０３９インチ（０．０９９０６ｃｍ）から０．０２５インチ（０．０６３５ｃｍ）まで長手軸線９５０に沿って０．１２０インチ（０．３０４８ｃｍ）の長さにわたって先細りする。ネック９２６、マウント９２７及びバーヘッドベース９８５は、バーヘッド９６０からシャンク９２５まで滑らかで段階的な移行を提供するように機械加工される。
【００３８】
この第６実施形態は、深いトラフ、分離された器具の取り出し、及び石灰化された管の深い通過のために設計される。
【００３９】
また、図７、７Ａ及び７Ｂに示された本発明の第７実施形態は、深いトラフ、分離された器具の取り出し、及び石灰化された管の深い通過のために設計される。バー１０００のヘッド１０６０は、図７に示された実施形態と同様に形状づけられ寸法づけられ、約０．０９４インチ（０．２３８７６ｃｍ）の長手軸線１０５０に沿った長さを有し、直径が頂部１０８０近傍での０．０１１インチ（０．０２７９４ｃｍ）からベース１０８５で０．０２８インチ（０．０７１１２ｃｍ）まで広くなる。バーヘッド１０６０は、６つの切断部材１０２０及び６つのレーキ面１０４１を有し、二つの切断部材１０３５が残りの切断部材の前方にわずかに延びる。バー１０００は、ラッチ部材１０５６を有する、直径が約０．０９２０（０．２３３６８ｃｍ）の駆動シャフト１０５５を有する。シャンク１０２５は、段階的な進行で先細りになり、長手軸線１０５０に沿って０．１１８インチ（０．２９９７２ｃｍ）の長さにわたって、駆動シャフト１０５５において０．０９２０（０．２３３６８ｃｍ）から０．０３９インチ（０．０９９０６ｃｍ）まで先細りになる部分１０２８を有する。第２部分１０２４は、０．０３９インチ（０．０９９０６ｃｍ）の直径を有し、０．４８３インチ（１．２２６８２ｃｍ）の長さを有する。第３部分１０２９は、ネック１０２６において０．０３９インチ（０．０９９０６ｃｍ）から０．０２５インチ（０．０６３５ｃｍ）まで０．１２０インチ（０．３０４８ｃｍ）の長さにわたって先細りする。ネック１０２６、マウント１０２７及びバーヘッドベース１０８５は、バーヘッド１０６０からシャンク１０２５まで滑らかで段階的な移行を提供するように機械加工される。
【００４０】
また、図８、８Ａ及び８Ｂに示された本発明の第８実施形態は、深いトラフ、分離された器具の取り出し、及び石灰化された管の深い通過のために設計される。バー１１００のヘッド１１６０は、他の実施形態と同様の切断設計を有し、約０．０５５インチ（０．１３９７ｃｍ）の長さを有し、直径が頂部１１８０近傍での０．０１３インチ（０．０３３０２ｃｍ）からベース１１８５で０．０２８インチ（０．０７１１２ｃｍ）まで広くなる。バーヘッド１１６０は、６つの切断部材１１２０及び６つのレーキ面１１４１を有し、二つの切断部材１１３５が残りの切断部材の前方に延びる。
【００４１】
第８実施形態のバー１１００は、ラッチ部材１１５６を有する、直径が約０．０９２０（０．２３３６８ｃｍ）の駆動シャフト１１５５を有する。シャンク１１２５は、段階的な進行で先細りになり、長手軸線１１５０に沿って０．０８９インチ（０．２２６０６ｃｍ）の長さにわたって、駆動シャフト１１５５において０．０９２０（０．２３３６８ｃｍ）から０．０５２インチ（０．１３２０８ｃｍ）まで先細りになる部分１１２８を有する。第２部分１１２４は、０．０５２インチ（０．１３２０８ｃｍ）の直径を有し、０．４５２インチ（１．１４８０８ｃｍ）の長さを有する。第３部分１１２９は、ネック１１２６において０．０５２インチ（０．１３２０８ｃｍ）の直径から０．０３６インチ（０．０９１４４ｃｍ）の直径まで０．２０４インチ（０．５１８１６ｃｍ）の長さにわたって先細りする。ネック１１２６、マウント１１２７及びバーヘッドベース１１８５は、バーヘッド１１６０からシャンク１１２５まで滑らかで段階的な移行を提供するように機械加工される。
【００４２】
本発明に係るバーの多くのバリエーションは、様々な歯内処置に適するように製造されることができる。一例として、バーヘッドは、バーヘッドの径の周りに配置された８個、１２個、又は他の数の切断部材と適合される。切断ブレードは、全てのブレードが頂部で接合し、二つのブレードがドリル歯を形成しない設計にすることができる。歯内処置において有益なバーヘッドは、０．０３９インチ（０．０９９０６ｃｍ）乃至０．１７７インチ（０．４４９５８ｃｍ）の範囲にすることができ、０．０１６インチ（０．０４０６４ｃｍ）乃至０．０５９インチ（０．１４９８６ｃｍ）のベース直径にすることができることが考えられる。
【００４３】
本発明の上述の全ての実施形態のバーヘッドは、炭化タングステンなどの炭化物材料にすることができる。しかしながら、ステンレス鋼、硬化工具鋼、焼結金属、焼結ダイヤモンド、焼結セラミック、メッキダイヤモンド、ダイヤモンド、ジルコニア、ポリマー、セラミック、セラミック酸化物、ケイ酸リチウム、チタン、ニッケルチタン、アルミニウム及びこれらの材料の組み合わせを含むあらゆる数の材料がバーヘッドを形成するのに使用されることができる。
【００４４】
また、本発明のバーは、歯内処置として考えられる全てのバーが互いにグループ化されるようにキットに一緒に包装されることが考えられる。一例をあげると、前述の第１、第２、第４及び第５の実施形態に係るバーは、前方／二尖頭歯内治療処置に対して設計されたキットに一緒に包装されることが考えられる。第１、第２、第３、第４、第５、第６、第７及び第８の実施形態のバーを含むキットは、臼歯の歯内治療処置に対して設計されたキットに一緒に包装される。本発明に係るバーは、自身によってキットに包装されることができ、あるいは、キットは、歯冠除去又は臼歯への初期アクセスのために設計された大きなダイヤモンド又はカーバイトバーを含む他のタイプのバーを含むことができる。
【００４５】
初期アクセスのためのキットを使用する際には、臨床医は、アクセスを得るために除去される又は進入されなければならないあらゆる既存の修復（又はその欠如）の材料の構造を確認する。ひとたび材料が確認されると、適当なバーは、課題に対して選択される。ひとたび選択されると、臨床医は、バーを案内するためにバーに対して十分な力だけを適用する。深いトラフ動作では、光で見まわす動きが推奨される。
【００４６】
歯内探査のためのキットのバーを使用する際に、臨床医は、本発明に係る対応するバーで実行される課題を識別する。バーは、デンタルハンドピースに取り付けられ、正しい速度で動作される。臨床医は、検査される領域に対する拡大を提供するために歯科手術用顕微鏡やループを使用することができる。先細りのシャンク及びバーヘッドの円錐形状は、歯科顕微鏡での使用に理想的である。
【００４７】
本発明のバーは、従来技術の円形先端付き、ダイヤモンドの先端付きの超音波のデバイスよりも滑らかな切開及びトラフを形成する。
【００４８】
上記実施形態に係るバーは、以下の範囲で全ての従来のシステムを超えた多くの利点を提供する。１）切削能力、２）深いトラフのための積極的な制御、３）柔軟性、４）ビジョンの要件、５）象牙質研磨／汚れや熱の蓄積の回避、６）正確さ（根管の位置における反出っ張り精度）、７）（特に超音波チップに関する）コスト、８）大きな効率、９）治療のために必要とされる器具の数の減少。
【００４９】
本発明の好適実施形態の詳細な説明が与えられているが、多くの変更が、添付の特許請求の範囲に記載された発明の範囲から逸脱しないで行われることができることを理解されるべきである。
【図１】
2014512893.tif 000003
【図１Ａ】
2014512893.tif 000004
【図１Ｂ】
2014512893.tif 000005
【図２】
2014512893.tif 000006
【図２Ａ】
2014512893.tif 000007
【図２Ｂ】
2014512893.tif 000008
【図３】
2014512893.tif 000009
【図３Ａ】
2014512893.tif 000010
【図３Ｂ】
2014512893.tif 000011
【図４】
2014512893.tif 000012
【図４Ａ】
2014512893.tif 000013
【図４Ｂ】
2014512893.tif 000014
【図５】
2014512893.tif 000015
【図５Ａ】
2014512893.tif 000016
【図５Ｂ】
2014512893.tif 000017
【図６】
2014512893.tif 000018
【図６Ａ】
2014512893.tif 000019
【図６Ｂ】
2014512893.tif 000020
【図７】
2014512893.tif 000021
【図７Ａ】
2014512893.tif 000022
【図７Ｂ】
2014512893.tif 000023
【図８】
2014512893.tif 000024
【図８Ａ】
2014512893.tif 000025
【図８Ｂ】
2014512893.tif 000026
【国際調査報告】
2014512893.tif 000027